(57)【要約】  電力量集計部（641）は、時間帯別に集計した消費電力量を集計する。電力コスト算定部（642）は、時間帯別に集計された消費電力量と、電気料金テーブルとに基づいて、時間帯別の消費電力コスト（買電コスト、放電コスト、及び、発電コストの内訳も含む）を算定する。表示制御部（644）は、算定された時間帯別の消費電力コストに基づいて、時間帯別の消費電力コストを表すグラフが、内訳（買電コスト、放電コスト、及び、発電コスト）に応じた色で色分けされた消費電力コスト画面を生成する。
2017022077.tif 000002
【特許請求の範囲】
【請求項１】
宅内機器にて消費される電力の情報を表示装置に表示する電力制御装置であって、
前記宅内機器によって消費された商用電力及び発電電力を含む前記電力についての電力コストを示すグラフであり、前記電力コストの内訳を識別可能に表したグラフを、前記表示装置に表示させる表示制御手段、
を備える電力制御装置。
【請求項２】
前記宅内機器による消費電力量を集計する電力量集計手段と、
前記集計された消費電力量及び料金情報に基づいて、前記商用電力及び前記発電電力の電力コストを算定する電力コスト算定手段と、を更に備える、
請求項１に記載の電力制御装置。
【請求項３】
前記電力コスト算定手段は、蓄電池からの放電電力の電力コストを更に算定し、
前記表示制御手段は、前記算定された前記商用電力、前記発電電力、及び、前記放電電力を含む前記電力コストの内訳を識別可能に表したグラフを、前記表示装置に表示させる、
請求項２に記載の電力制御装置。
【請求項４】
前記表示装置に表示させたグラフに対するユーザの操作を受け付ける操作受付手段と、
前記受け付けた操作に応じて見直した制御スケジュールに従って、前記宅内機器に指令を発する指令手段とを更に備える、
請求項１に記載の電力制御装置。
【請求項５】
宅内機器にて消費される電力の情報を表示装置に表示する電力制御装置によるコスト表示方法であって、
前記宅内機器によって消費された商用電力及び発電電力を含む前記電力についての電力コストを示すグラフであり、前記電力コストの内訳を識別可能に表したグラフを、前記表示装置に表示させる表示制御ステップ、
を備えるコスト表示方法。
【請求項６】
宅内機器にて消費される電力の情報を表示装置に表示するコンピュータを、
前記宅内機器によって消費された商用電力及び発電電力を含む前記電力についての電力コストを示すグラフであり、前記電力コストの内訳を識別可能に表したグラフを、前記表示装置に表示させる表示制御部、
として機能させるプログラム。
【発明の詳細な説明】
【技術分野】
【０００１】
本発明は、消費された電力のコストを適切に視覚化して表示する技術に関する。
【背景技術】
【０００２】
近年、ＨＥＭＳ（Home Energy Management System）に代表されるホームシステムに、発電設備や蓄電設備を導入し、エネルギーマネジメント制御（一例として、充放電制御等）が行われている。このようなホームシステムでは、商用電源（商用の電力系統）から買電した電力、及び、発電設備から売電した電力について、売買電量や売買電力料金等がユーザに表示されるようになっている。【０００３】
このようなホームシステムの先行技術として、例えば、特許文献１には、使用されたエネルギーにおけるグリーン電力（炭素排出強度が比較的低い電力）と非グリーン電力との割合等を表示する電力コントロール装置の発明が開示されている。また、特許文献２には、多様なエネルギー変量の遷移状況のグラフに、蓄電池の蓄電量の遷移状況のグラフを重畳させて表示する管理装置（電力制御システム）の発明が開示されている。
【先行技術文献】
【特許文献】
【０００４】
【特許文献１】特開２０１２−０１９６５２号公報
【特許文献２】特開２０１４−０２１６１６号公報
【発明の概要】
【発明が解決しようとする課題】
【０００５】
しかしながら、上述した特許文献１，２の発明では、消費や発電等された電力量を適宜表示しているだけであり、コストの観点からは、何ら表示がなされていなかった。つまり、特許文献１，２の発明にて表示される電力量の情報だけでは、例えば、どの時間帯に充電や放電を行い、その結果、買電がどの程度抑制できたか等をユーザに提示することができなかった。【０００６】
そのため、消費された電力のコストを適切に視覚化して表示する技術が求められていた。【０００７】
本発明は、上記のような問題点を解決するためになされたもので、消費された電力のコストを適切に視覚化して表示することのできる電力制御装置、コスト表示方法、及び、プログラムを提供することを目的とする。
【課題を解決するための手段】
【０００８】
上記目的を達成するために、本発明に係る電力制御装置は、
宅内機器にて消費される電力の情報を表示装置に表示する電力制御装置であって、
前記宅内機器によって消費された商用電力及び発電電力を含む前記電力についての電力コストを示すグラフであり、前記電力コストの内訳を識別可能に表したグラフを、前記表示装置に表示させる表示制御手段、
を備える。
【発明の効果】
【０００９】
本発明によれば、消費された電力のコストを適切に視覚化して表示することができる。
【図面の簡単な説明】
【００１０】
【図１】本発明の実施形態に係るホームシステムの全体構成の一例を示す模式図である。
【図２】電力制御装置の構成の一例を示すブロック図である。
【図３】消費電力量画面の一例を示す模式図である。
【図４】消費電力コスト画面の一例を示す模式図である。
【図５】消費電力コスト予測画面の一例を示す模式図である。
【図６】蓄電残量画面の一例を示す模式図である。
【図７】端末装置の構成の一例を示すブロック図である。
【図８Ａ】消費電力コスト予測画面に対する操作の様子を説明するための模式図である。
【図８Ｂ】消費電力コスト予測画面に対する操作の様子を説明するための模式図である。
【図９】更新された消費電力コスト予測画面の一例を示す模式図である。
【図１０】本発明の実施形態に係る画面生成処理の一例を示すフローチャートである。
【図１１】他の実施形態に係る消費電力コスト画面の一例を示す模式図である。
【発明を実施するための形態】
【００１１】
以下、本発明の実施形態について、図面を参照しながら詳細に説明する。なお、図中同一又は相当部分には同一符号を付す。以下では、具体例として、本発明がホームシステムに適用される場合について説明するが、後述するように、ビルシステム等についても同様に本発明を適用することができる。すなわち、以下に説明する実施形態は説明のためのものであり、本発明の範囲を制限するものではない。従って、当業者であればこれらの各要素又は全要素をこれと均等なものに置換した実施形態を採用することが可能であるが、これらの実施形態も本発明の範囲に含まれる。
【００１２】
（実施形態）
図１は、本発明の実施形態に係るホームシステム１の全体構成の一例を示す模式図である。図示するように、ホームシステム１は、電力を蓄える蓄電設備１０と、発電する発電設備２０と、住居Ｈ内に供給される電力を遮断するブレーカ３０と、住居Ｈ内で消費や発電等される電力を計測する電力計測装置４０と、住居Ｈ内で電力を消費する家電機器５０と、ホームシステム１全体を制御する電力制御装置６０と、ユーザに使用される端末装置７０とを備えている。
【００１３】
図１における太線は、電力線ＰＬを示している。つまり、蓄電設備１０、発電設備２０、ブレーカ３０、及び、家電機器５０には、電力線ＰＬを介して電力が供給（又は、出力）可能に接続されている。そして、それらの機器（設備）の近傍には、電力線ＰＬに流れる電力を計測するための変流器ＣＴが配置されている。
【００１４】
また、図１における点線は、通信線ＣＬを示している。つまり、蓄電設備１０、発電設備２０、電力計測装置４０、家電機器５０、電力制御装置６０、及び、端末装置７０は、通信線ＣＬを通じて宅内ネットワークＮ１と接続されている。なお、通信線ＣＬ（宅内ネットワークＮ１）は、例えば、有線ＬＡＮ（Local Area Network）や無線ＬＡＮ等からなる。
【００１５】
また、ホームシステム１は、住居Ｈ外に配置されたサーバ８０と通信可能となっている。このサーバ８０は、商用電源（商用の電力系統）ＰＳについて、例えば、時間帯別の電気料金（買電料金）を規定した電気料金テーブル８１を記憶している。なお、電気料金テーブル８１には、発電された電力の買い取り料金（売電料金）も含まれている。この買い取り料金は、一律である必要はなく、時間帯別に規定されていてもよい。電力制御装置６０は、宅外ネットワークＮ２を介してサーバ８０に通信接続し、このような電気料金テーブル８１を読み出すことが可能となっている。
【００１６】
蓄電設備１０は、例えば、定置型の蓄電池（一例として、リチウムイオン電池）を備え、電力の蓄電（充電）及び放電が可能な蓄電システムである。蓄電設備１０は、通信線ＣＬ（宅内ネットワークＮ１）を介して電力制御装置６０に制御され、蓄電池への充電及び、蓄電池からの放電を行う。なお、蓄電設備１０は、この他にも、電気自動車等を利用した充放電システムであってもよい。
【００１７】
発電設備２０は、例えば、太陽光によって発電を行うソーラーパネル、及び、直流電力を交流電力に変換するパワーコンディショナ等を備えた太陽光発電システムである。発電設備２０は、通信線ＣＬを介して電力制御装置６０に制御され、発電した電力を住居Ｈ内の家電機器５０等に供給し、また、余剰電力を商用電源ＰＳに逆潮流させる。なお、発電設備２０は、この他にも、風力や燃料電池を利用した発電システムであってもよい。
【００１８】
ブレーカ３０は、商用電源ＰＳから住居Ｈ内の電力線ＰＬへの電力の供給を適宜遮断する。例えば、ブレーカ３０は、住居Ｈ内で消費されている電力（商用電源ＰＳから供給されている電力）が定められた容量を超えた場合に、商用電源ＰＳと電力線ＰＬとの電気的な接続を遮断する。ブレーカ３０の容量は、例えば、ユーザが電力会社と契約する際に定められている。なお、ブレーカ３０は、漏電ブレーカであってもよい。
【００１９】
電力計測装置４０は、例えば、電力検出部４１及び通信部４２を備えている。電力検出部４１は、上述した変流器ＣＴを用いて、電力線ＰＬを流れる電力量を検出する。また、通信部４２は、例えば、電力検出部４１が検出した電力量の情報を、電力制御装置６０に送信する。すなわち、電力計測装置４０は、変流器ＣＴを用いて、発電設備２０から電力線ＰＬを通じて商用電源ＰＳへ逆潮流させた売電量、商用電源ＰＳから電力線ＰＬに流入させた買電量、発電設備２０による発電量、家電機器５０等による消費電力量、蓄電設備１０への充電量、及び、蓄電設備１０から電力線ＰＬへの放電量を計測する。電力計測装置４０は、これらを例えば、売買電量、発電量、消費電力量、及び、充放電量の情報として、電力制御装置６０に送信する。
【００２０】
家電機器５０は、住居Ｈ内にて電力を消費する電力消費機器である。なお、図１では、住宅Ｈ内に家電機器５０が２台配置されている場合を示しているが、説明を容易にするためであり、家電機器５０の台数は、実情に応じて適宜変更可能である。
【００２１】
電力制御装置６０は、一例として、住居Ｈ内の機器（設備）を統合的に制御することが可能なＨＥＭＳ（Home Energy Management System）コントローラである。電力制御装置６０は、例えば、通信線ＣＬを介して電力計測装置４０と通信し、電力計測装置４０にて計測された電力量の情報を収集する。この他にも、電力制御装置６０は、通信線ＣＬを介して、蓄電設備１０や発電設備２０等を制御する。
【００２２】
この電力制御装置６０の構成の一例について、以下、図２を参照して説明する。図２は、電力制御装置６０の構成の一例を示すブロック図である。図示するように、電力制御装置６０は、宅内通信部６１と、宅外通信部６２と、データ記憶部６３と、制御部６４とを備える。
【００２３】
宅内通信部６１は、例えば、通信線ＣＬを通じて宅内ネットワークＮ１に接続するための通信ユニットであり、制御部６４による制御の下、蓄電設備１０、発電設備２０、電力計測装置４０、家電機器５０、及び、端末装置７０との通信を行う。例えば、宅内通信部６１は、電力計測装置４０から送られる電力量の情報を受信する。また、宅内通信部６１は、制御部６４（後述する表示制御部６４４）が生成した画面データ（後述する消費電力量画面、消費電力コスト画面、消費電力コスト予測画面、及び、蓄電残量画面等）を端末装置７０に送信する。
【００２４】
宅外通信部６２は、例えば、外部の宅外ネットワークＮ２に接続するための通信アダプタであり、制御部６４による制御の下、外部のサーバ８０との通信を行う。例えば、宅外通信部６２は、サーバ８０から送られる上述した電気料金テーブル８１の情報を受信する。
【００２５】
データ記憶部６３は、例えば、不揮発性の半導体メモリ等で構成され、電力計測装置４０から受信した電力量の情報や、サーバ８０から受信した電気料金テーブル８１の情報を記憶する。つまり、データ記憶部６３は、制御部６４（後述する電力量集計部６４１）が集計した時間帯別の消費電力量を記憶する。また、データ記憶部６３は、時間帯別の電気料金や、電力の買い取り料金を規定した電気料金テーブル８１を記憶する。更に、データ記憶部６３は、制御部６４（後述する電力コスト算定部６４２）が算定した時間帯別の消費電力コスト（予測される消費電力コストも含む）を記憶する。この他にも、データ記憶部６３は、蓄電設備１０や発電設備２０を制御するために用いられる制御スケジュール等を記憶する。
【００２６】
制御部６４は、ＣＰＵ（Central Processing Unit），ＲＯＭ（Read Only Memory），ＲＡＭ（Random Access Memory）等を備え（何れも図示せず）、電力制御装置６０全体を制御する。制御部６４は、機能的には、電力量集計部６４１と、電力コスト算定部６４２と、電力量予測部６４３と、表示制御部６４４と、操作受付部６４５と、指令部６４６とを備える。これらの機能は、ＣＰＵが、ＲＡＭをワークメモリとして用い、例えば、ＲＯＭに記憶されている各種プログラム（後述する画面生成処理のプログラム等）を適宜実行することにより実現される。
【００２７】
電力量集計部６４１は、電力計測装置４０から受信した電力量から１日分の消費電力量を集計する。一例として、電力量集計部６４１は、以下のように、１日分の消費電力量を集計する。
【００２８】
まず、電力量集計部６４１は、受信した電力量のうち、家電機器５０等による消費電力量を時間帯別に集計する。そして、電力量集計部６４１は、時間帯別に集計した消費電力量の内訳を、商用電源ＰＳからの買電量、蓄電設備１０からの放電量、及び、発電設備２０による発電量（より詳細には、商用電源ＰＳへ逆潮流させた売電量、及び、蓄電設備１０への充電量を除いた発電量）から求める。電力量集計部６４１は、このような時間帯別に集計した消費電力量（買電量、放電量、及び、発電量の内訳も含む）をデータ記憶部６３に記憶させる。
【００２９】
電力コスト算定部６４２は、電力量集計部６４１が時間帯別に集計した消費電力量と、電気料金テーブル８１とに基づいて、時間帯別の消費電力コストを算定する。一例として、電力コスト算定部６４２は、以下のように、１日分の消費電力コストを算定する。
【００３０】
まず、電力コスト算定部６４２は、電気料金テーブル８１から時間帯別の電気料金や、買い取り料金を参照する。そして、電力コスト算定部６４２は、電力量集計部６４１が集計した時間帯別の消費電力量の内訳（買電量、放電量、及び、発電量）に対応する価格（単価）を乗算して、時間帯別の消費電力コストを算定する。つまり、買電量に対しては、同時間帯の電気料金の価格を乗算する。また、発電量に対しては、買い取り料金の価格（時間帯別の価格であれば、同時間帯の価格）を乗算する。これは、消費電力に含まれる発電量は、自家消費しなければ売電によって利益を得ていたと考え、売電できなかった分を発電量のコストとするためである。更に、放電量に対しては、充電に要したコストに充放電時の損失分を上乗せした価格を求め、その価格を乗算する。具体的に、充電効率が９０％で放電効率が８５％の蓄電設備１０（蓄電池）を用いて、１２．１６［円／ｋＷｈ］の価格で１０ｋＷｈだけ買電して、充電した場合を一例として説明すると、電力コスト算定部６４２は、（１２．１６［円／ｋＷｈ］×１０［ｋＷｈ］）／（１０［ｋＷｈ］×０．９［％］×０．８５［％］）を計算して、約１５．９０［円／ｋＷｈ］の価格を求める。つまり、充電に要したコストを、放電して使用できる電力量にて除算した価格を求める。電力コスト算定部６４２は、このように求めた価格を放電量に対して乗算する。
【００３１】
電力コスト算定部６４２は、このようにして算定した時間帯別の消費電力コスト（買電コスト、放電コスト、及び、発電コストの内訳も含む）をデータ記憶部６３に記憶させる。
【００３２】
電力量予測部６４３は、データ記憶部６３に記憶した過去の消費電力量等に基づいて、例えば、翌日における時間帯別の消費電力量を予測する。なお、予測する対象日は、翌日に限られず、適宜変更可能である。また、予測の手法は、このような過去の実績（過去の消費電力量）等に基づくものに限られず任意である。例えば、電力量予測部６４３は、ユーザの家族構成、家電機器５０の数や種類、及び、季節等に基づいて、翌日における時間帯別の消費電力量を予測してもよい。また、上述した電力コスト算定部６４２は、このようにして予測された時間帯別の消費電力量と、電気料金テーブル８１とに基づいて、予測される時間帯別の消費電力コスト（買電コスト、放電コスト、及び、発電コストの内訳も含む）を同様に算定して、データ記憶部６３に記憶させる。
【００３３】
表示制御部６４４は、端末装置７０に提供するための画面データを生成する。具体的に、表示制御部６４４は、図３に示すような消費電力量画面Ｐ１、図４に示すような消費電力コスト画面Ｐ２、及び、図５に示すような消費電力コスト予測画面Ｐ３を構成する画面データを生成する。
【００３４】
図３の消費電力量画面Ｐ１は、時間帯別の消費電力量をグラフ（棒グラフ）で表している。なお、このグラフは、買電量、放電量、及び、発電量が、それぞれ色分けされている様子を示している。つまり、消費電力量画面Ｐ１は、時間帯別の消費電力量を表すグラフが、内訳（買電量、放電量、及び、発電量）に応じた色で色分けされて表示されている。このような消費電力量画面Ｐ１により、時間帯別の消費電力量がどの電力によるものかを視覚化して表示することができる。表示制御部６４４は、上述した電力量集計部６４１が時間帯別に集計した消費電力量（買電量、放電量、及び、発電量の内訳も含む）に基づいて、このような消費電力量画面Ｐ１を生成する。
【００３５】
図４の消費電力コスト画面Ｐ２は、時間帯別の消費電力コストをグラフで表している。なお、このグラフも、買電コスト、放電コスト、及び、発電コストが、それぞれ色分けされている様子を示している。つまり、消費電力コスト画面Ｐ２は、時間帯別の消費電力コストを表すグラフが、内訳（買電コスト、放電コスト、及び、発電コスト）に応じた色で色分けされて表示されている。なお、図中の点線にて囲んだ部分は、買電コストを示しており、深夜の時間帯における他の買電コストの色と比べ、同系色ではあるものの、より濃い色にて表されている。この濃い色（同系色の濃い色）は、買電コストの単価が高いことを示している。つまり、買電コストは、時間帯に応じて単価が異なるため、その単価の程度（高い／安い）を濃淡で表している。なお、放電コストや発電コストについても、単価の程度に応じて濃淡を付けてもよい。このような消費電力コスト画面Ｐ２により、時間帯別の消費電力コストがどの電力によるものかを視覚化して表示することができる。更に、濃淡で表すことによって、同じ電力でも、価格（単価）が異なることを視覚化して表示することができる。表示制御部６４４は、上述した電力コスト算定部６４２が算定した時間帯別の消費電力コスト（買電コスト、放電コスト、及び、発電コストの内訳も含む）に基づいて、このような消費電力コスト画面Ｐ２を生成する。
【００３６】
図５の消費電力コスト予測画面Ｐ３は、時間帯別に予測される消費電力コストをグラフで表している。この消費電力コスト予測画面Ｐ３は、上述した電力量予測部６４３によって予測された消費電力量に基づいて上述した電力コスト算定部６４２によって予測される消費電力コストが算定されたものであり、表示の意味するものは、上述した消費電力コスト画面Ｐ２と同様である。つまり、消費電力コスト予測画面Ｐ３においても、１６時付近の買電コストが濃い色（同系色の濃い色）にて表されており、深夜の買電コストよりも単価が高いことを示している。そのため、ユーザは、後述するように、放電コストの振り分け先（ドロップ先）を、どこにすべきかを容易に決めることができる。
【００３７】
表示制御部６４４は、これら消費電力量画面Ｐ１、消費電力コスト画面Ｐ２、及び、消費電力コスト予測画面Ｐ３だけでなく、他の画面の画面データも生成する。例えば、表示制御部６４４は、図６に示すような蓄電残量画面Ｐ４を構成する画面データを生成する。
【００３８】
蓄電残量画面Ｐ４は、蓄電設備１０（蓄電池）の蓄電残量をグラフで表している。なお、このグラフは、蓄電（充電）に用いた電源（供給元となった電力）に応じて、それぞれ色分けされている様子を示している。つまり、蓄電残量画面Ｐ４は、蓄電残量を表すグラフが、蓄電に用いた電源に応じた色で色分けされて表示されている。なお、このグラフにおいても、同じ買電による充電を示す部分でも、単価の程度に応じて濃淡を付けて表されている。なお、蓄電設備１０から放電する際に、例えば、環境配慮を重視する設定の場合は、発電による充電分から使用したり、また、例えば、経済性を重視する設定の場合は、コストの安い電源による充電分から使用する、というようにユーザが選べるようになっている。これにより、例えば、環境配慮を重視するユーザの場合、発電による充電分以上を使用しないように消費電力を抑制できる。また、蓄電設備１０が発電していない時間帯であっても発電による充電分の放電で消費電力を賄えていれば、ユーザは、クリーンなエネルギーで生活しているという満足感を得られる。
【００３９】
なお、上述した電力コスト算定部６４２は、蓄電残量画面Ｐ４に示すように、複数の電源を用いて充電されていた場合において、充電に要したコストとして、例えば、平均値を用いる。ただし、放電の際に、上述したように、発電分から使用するような設定の場合に、電力コスト算定部６４２は、発電による充電分が放電されるまでは、充電に要したコストとして、買い取り料金の価格を用い、それ以降は、平均値（残りの平均値）を用いるようにしてもよい。この他にも、経済性を重視する設定の場合に、電力コスト算定部６４２は、充電に要したコストとして、コストの安い電源による充電分から順番に用いるようにしてもよい。
【００４０】
図２に戻って、操作受付部６４５は、表示制御部６４４が生成し、端末装置７０に送られた画面データ（例えば、消費電力コスト予測画面Ｐ３等）に対するユーザの操作を受け付ける。つまり、表示制御部６４４が生成した画面データが、端末装置７０に送信されて表示された後に、端末装置７０を使用するユーザの操作（例えば、後述するように、消費電力コスト予測画面Ｐ３のグラフに対して行われたドラッグアンドドロップ操作等）に応じた操作データが端末装置７０から送られた場合に、操作受付部６４５は、その操作データを受け付ける。
【００４１】
指令部６４６は、宅内通信部６１を通じて、蓄電設備１０や発電設備２０等に対する制御を指令する。例えば、指令部６４６は、操作受付部６４５が受け付けた操作（例えば、消費電力コスト予測画面Ｐ３のグラフに対して行われたドラッグアンドドロップ操作等）に応じて、制御スケジュールが見直された場合に、見直された制御スケジュールに応じた制御を蓄電設備１０や発電設備２０等に指令する。
【００４２】
図１に戻って、端末装置７０は、例えば、タブレット端末やスマートフォン等の携帯端末であり、ユーザによって使用される。この端末装置７０の構成の一例について、以下、図７のブロック図を参照して説明する。図示するように、端末装置７０は、通信部７１と、表示部７２と、入力部７３と、データ記憶部７４と、制御部７５と、を備える。
【００４３】
通信部７１は、例えば、通信線ＣＬを通じて宅内ネットワークＮ１に接続するための通信ユニット（一例として、無線ＬＡＮユニット）であり、制御部７５による制御の下、電力制御装置６０との通信を行う。
【００４４】
表示部７２は、液晶パネル等を備え、制御部７５の制御の下、種々の画面を表示する。具体的に表示部７２は、電力制御装置６０から送られた画面データに基づいて、上述した消費電力コスト予測画面Ｐ３等を表示する。
【００４５】
入力部７３は、タッチパネル，タッチパッド等から構成され、ユーザからの操作入力を受け付ける処理を行う。例えば、入力部７３としてタッチパネルを採用する場合、静電容量の変化を検出する透明な平板状の静電容量センサが、液晶表示器に重ねて実装される。この静電容量センサにより、ユーザの指先や専用のペン等によるタッチ面（ユーザにとっては液晶表示器の表示画面）の接触（押圧）が検出されると、その位置の情報（座標データ）が制御部７５に出力される。
【００４６】
データ記憶部７４は、例えば、不揮発性の半導体メモリ等で構成される。データ記憶部７４は、電力制御装置６０にて生成され、通信部７１を通じて受信した画面データ（上述した消費電力コスト予測画面Ｐ３等の画面データ）を一時的に記憶する。この他にもデータ記憶部７４は、制御部７５が実行するプログラム等を記憶する。
【００４７】
制御部７５は、ＣＰＵ，ＲＯＭ，ＲＡＭ等（何れも図示せず）を備え、端末装置７０全体を制御する。制御部７５は、機能的には、画面表示処理部７５１と入力検出部７５２とを備える。この機能は、ＣＰＵが、ＲＡＭをワークメモリとして用い、ＲＯＭやデータ記憶部７４に記憶されている各種プログラムを適宜実行することにより実現される。
【００４８】
画面表示処理部７５１は、通信部７１を通じて、コントローラ１０から送られた画面データに基づく画面（上述した消費電力コスト予測画面Ｐ３等）を、表示部７２に表示する。
【００４９】
入力検出部７５２は、例えば、画面に対するユーザからの操作を入力部７３から受け付けると、操作データを生成して、通信部７１を通じて、電力制御装置６０に送信する。具体的に、消費電力コスト予測画面Ｐ３に対する操作を一例として、図８Ａ，８Ｂを参照して説明する。図８Ａに示すような消費電力コスト予測画面Ｐ３において、ユーザの指によって、グラフにおける深夜の放電コストＳＬ（一例として、複数の時間帯の放電コスト）が選択されたとする。この放電コストＳＬがドラッグされ、図８Ｂに示すように、グラフにおける夕方（１６時前の時間帯）の買電コスト上にドラッグされると、入力検出部７５２は、このようなドラッグアンドドロップの操作データを生成し、通信部７１を通じて、電力制御装置６０に送信する。
【００５０】
上述した電力制御装置６０の操作受付部６４５が、このような操作データを受け付けると、上述した電力量予測部６４３は、その操作データに基づいて、消費電力量の予測を見直す。具体的には、電力量予測部６４３は、図８Ａの放電コストＳＬにて示される放電を、図８Ｂにてドロップされた時間帯に行うように、消費電力量の予測を見直す。そして、上述した電力コスト算定部６４２によって消費電力コストが再度算定され、表示制御部６４４によって、図９に示すように、消費電力コスト予測画面Ｐ３が更新される。つまり、図８Ａにて選択された放電コストＳＬの時間帯は、図９では、買電コストに見直され、また、図８Ｂにて放電コストＳＬがドロップされた時間帯は、図９では放電コストに見直されている。
【００５１】
上述した図８Ａ，図８Ｂに示すようなドラッグアンドドロップ操作を行う際に、ユーザは、１６時付近の買電コストが濃い色（同系色の濃い色）にて表されていることから、深夜の買電コストよりも単価が高いこと認識し、放電コストの振り分け先（ドロップ先）を、その１６時付近にすべきであることを容易に決めることができる。
【００５２】
なお、通常、消費電力コスト予測画面Ｐ３には、電力制御装置６０によって最適な制御スケジュールに沿ったグラフを表示するものではあるが、ユーザの状況によっては、適切でない場合も起こり得る。例えば、急な来客予定が入ったり、家電機器５０を通常とは異なる時間帯で使用する場合等、このようなドラッグアンドドロップ操作によって指示することで制御スケジュールを見直すことができるため、手動の操作も容易に可能となる。
【００５３】
また、消費電力コスト予測画面Ｐ３は、電力制御装置６０が、発電設備２０の発電量や家電機器５０の動作による負荷を予測して、作成するものであるが、ユーザが予測が外れると認識している場合等にも、同様に手動の操作（ドラッグアンドドロップ操作）によって、容易に制御スケジュールを見直すことができる。
【００５４】
例えば、昼間の発電設備２０による発電で賄う予定の時間帯に、家電機器５０を多く動かす予定があり、発電量だけでは不足する恐れがある場合に、ユーザは、上記と同様に、その時間帯に放電コストを移動させる（ドラッグアンドドロップする）。
【００５５】
また、蓄電設備１０として電気自動車（蓄電池）を用いている場合に、電気自動車にて外出する予定がある時間帯に放電コストが表示されていたならば、ユーザは、その時間帯の放電コストを、別の時間帯に移動させる。
【００５６】
以下、本発明の実施形態に係る電力制御装置６０（制御部６４）の動作について、図１０を参照して説明する。図１０は、制御部６４が実行する画面生成処理の一例を示すフローチャートである。この画面生成処理は、例えば、端末装置７０にて、ユーザによる所望の画面への遷移が指示され、その画面データの生成要求が、端末装置７０から送られた際に開始される。
【００５７】
まず、制御部６４は、１日分の消費電力量を集計する（ステップＳ１０１）。すなわち、電力量集計部６４１は、電力計測装置４０から受信した電力量から１日分の消費電力量を集計する。例えば、電力量集計部６４１は、受信した電力量のうち、家電機器５０等による消費電力量を時間帯別に集計する。そして、電力量集計部６４１は、時間帯別に集計した消費電力量の内訳を、商用電源ＰＳからの買電量、蓄電設備１０からの放電量、及び、発電設備２０による発電量（より詳細には、商用電源ＰＳへ逆潮流させた売電量、及び、蓄電設備１０への充電量を除いた発電量）から求める。
【００５８】
制御部６４は、１日分の消費電力コストを算定する（ステップＳ１０２）。すなわち、電力コスト算定部６４２は、上記のステップＳ１０１にて時間帯別に集計した消費電力量と、電気料金テーブル８１とに基づいて、時間帯別の消費電力コストを算定する。例えば、電力コスト算定部６４２は、電気料金テーブル８１から時間帯別の電気料金や、買い取り料金を参照する。そして、電力コスト算定部６４２は、電力量集計部６４１が集計した時間帯別の消費電力量の内訳（買電量、放電量、及び、発電量）に対応する価格（単価）を乗算して、時間帯別の消費電力コストを算定する。つまり、買電量に対しては、同時間帯の電気料金の価格を乗算する。また、発電量に対しては、買い取り料金の価格（時間帯別の価格であれば、同時間帯の価格）を乗算する。そして、放電量に対しては、充電に要したコストに充放電時の損失分を上乗せした価格を求め、その価格を乗算する。
【００５９】
制御部６４は、予測が必要であるか否かを判別する（ステップＳ１０３）。例えば、制御部６４は、端末装置７０から要求されたのが、消費電力コストを予測するための画面であるかどうかを判別する。制御部６４は、予測が必要でないと判別すると（ステップＳ１０３；Ｎｏ）、後述するステップＳ１０６に処理を進める。
【００６０】
一方、予測が必要であると判別した場合（ステップＳ１０３；Ｙｅｓ）に、制御部６４は、翌日の消費電力量を予測する（ステップＳ１０４）。すなわち、電力量予測部６４３は、データ記憶部６３に記憶した過去の消費電力量等に基づいて、翌日における時間帯別の消費電力量を予測する。なお、予測の手法は、このような過去の実績（過去の消費電力量）等に基づくものに限られず任意である。例えば、電力量予測部６４３は、ユーザの家族構成、家電機器５０の数や種類、及び、季節等に基づいて、翌日における時間帯別の消費電力量を予測してもよい。
【００６１】
制御部６４は、予想される消費電力コストを算定する（ステップＳ１０５）。すなわち、電力コスト算定部６４２は、上記のステップＳ１０４にて予測された時間帯別の消費電力量と、電気料金テーブル８１とに基づいて、予測される時間帯別の消費電力コストを算定する。
【００６２】
制御部６４は、画面データを生成する（ステップＳ１０６）。すなわち、表示制御部６４４は、端末装置７０に提供するための画面データを生成する。つまり、消費電力量を表示するための画面データが要求されている場合に、表示制御部６４４は、図３に示すような消費電力量画面Ｐ１を構成する画面データを生成する。また、消費電力コストを表示するための画面データが要求されている場合に、表示制御部６４４は、図４に示すような消費電力コスト画面Ｐ２を構成する画面データを生成する。また、消費電力コストを予測表示するための画面データが要求されている場合に、表示制御部６４４は、図５に示すような消費電力コスト予測画面Ｐ３を構成する画面データを生成する。更に、蓄電池の残量を表示するための画面データが要求されている場合に、表示制御部６４４は、図６に示すような蓄電残量画面Ｐ４を構成する画面データを生成する。
【００６３】
制御部６４は、画面データを端末装置７０に送信する（ステップＳ１０７）。すなわち、表示制御部６４４は、生成した画面データを、宅内通信部６１から端末装置７０に送信する。
【００６４】
制御部６４は、グラフに対する操作があったか否かを判別する（ステップＳ１０８）。すなわち、操作受付部６４５は、表示制御部６４４が生成し、端末装置７０に送られた画面データのグラフに対する操作があったかどうかを判別する。制御部６４は、グラフに対する操作がないと判別すると（ステップＳ１０８；Ｎｏ）、引き続き、操作の有無を判別する。
【００６５】
一方、グラフに対する操作があったと判別した場合（ステップＳ１０８；Ｙｅｓ）に、制御部６４は、画面データを更新する（ステップＳ１０９）。例えば、上述した図８Ａ，８Ｂに示すような消費電力コスト予測画面Ｐ３のグラフに対して、ドラッグアンドドロップ操作があった場合において、電力量予測部６４３は、図８Ａの放電コストＳＬにて示される放電を、図８Ｂにてドロップされた時間帯に行うように、消費電力量の予測を見直す。また、電力コスト算定部６４２は、見直された消費電力量の予測に従って、消費電力コストを再度算定する。され、そして、表示制御部６４４は、再度算定された消費電力コストに基づいて、図９に示すように、消費電力コスト予測画面Ｐ３を更新する（更新した画面データを端末装置７０に送信する）。
【００６６】
そして、制御部６４は、上述したステップＳ１０８に処理を戻す。なお、他の画面への遷移が、端末装置７０のユーザから指示された場合には、制御部６４は、上述したステップＳ１０１に処理を戻すものとする。
【００６７】
このような画面生成処理によって、消費された電力のコストを適切に視覚化して表示することができる。
【００６８】
（他の実施形態）
上記の実施形態では、上述した図３〜図６の各画面Ｐ１〜Ｐ４にて示したように、表示制御部６４４が、内訳（各コスト等）を色分けして表したグラフを生成する場合について説明したが、色分け以外に表示態様を異ならせることにより、内訳を識別可能なグラフを生成してもよい。例えば、表示制御部６４４は、異なる模様等によって、内訳を識別可能なグラフを生成してもよい。更に、グラフの種類も棒グラフに限られず、円グラフや折れ線グラフ等を用いてもよい。
【００６９】
また、上記の実施形態では、消費電力量画面Ｐ１、消費電力コスト画面Ｐ２、及び、消費電力コスト予測画面Ｐ３等を、比較対象のない単独のグラフにて表示する場合について説明したが、比較対象を含めたグラフにて表示するようにしてもよい。例えば、表示制御部６４４は、図１１に示すような消費電力コスト画面Ｐ５を構成する画面データを生成し、端末装置７０に表示させてもよい。
【００７０】
図１１の消費電力コスト画面Ｐ５は、蓄電設備１０や発電設備２０を導入する前と比較可能に、時間帯別の消費電力コストをグラフで表している。このような消費電力コスト画面Ｐ５によって、蓄電設備１０や発電設備２０の導入による効果や、電力制御装置６０によるエネルギーマネジメント制御の効果を適切に視覚化して表示することができる。なお、この消費電力コスト画面Ｐ５では、一例として、蓄電設備１０や発電設備２０の導入前後のグラフを重ねて表示する場合を示しているが、他に、導入前後のグラフを上下に並べて表示したり、切り替えて表示したりする等、適宜変更可能である。
【００７１】
上記の実施形態では、ユーザが画面を操作する例として、消費電力コスト予測画面Ｐ３のグラフを操作する場合について説明したが、消費電力量画面Ｐ１や消費電力コスト画面Ｐ２についても、ユーザは操作可能である。
【００７２】
例えば、消費電力量画面Ｐ１や消費電力コスト画面Ｐ２の買電量（買電コスト）をユーザがタッチした場合に、電力制御装置６０は、その時間帯に家電機器５０の動作を停止や抑制する制御を行うことにより節電し、買電量（買電コスト）を最小にする。
【００７３】
この他にも、複数の制御（例えば、省エネルギーを重視する経済モードや、発電量を積極的に消費するグリーンモード等）の結果を、ユーザが選択できるようにして、その制御に基づく消費電力量画面Ｐ１や消費電力コスト画面Ｐ２を表するようにしてもよい。
【００７４】
また、消費電力コスト画面Ｐ２において、ユーザが契約した電気料金プラン以外を適用した場合も表示するようにしてもよい。例えば、複数の電力会社や複数の電気料金プランをユーザが選択でき、電力制御装置６０は、それに応じた消費電力コスト画面Ｐ２を表示する。これにより、ユーザは、よりお得になる電気料金プランを見つけることができ、電気料金プランのスイッチング支援にもつながる。更に、電力制御装置６０は、時間帯ごとに電力会社や電気料金プランを変えて表示してもよい。
【００７５】
また、消費電力量画面Ｐ１や消費電力コスト画面Ｐ２において、放電量（放電コスト）を表示する際に、放電が効率的にされた箇所は、色を濃くする等により、より分かり易く表示してもよい。なお、放電の効率は主に放電量によって決まる。例えば、パワーコンディショナの定格で放電すると、効率が良い。この他にも、温度等の要因も考慮して、効率を求め、色を濃くする等により、より分かり易く表示してもよい。
【００７６】
また、消費電力量画面Ｐ１、消費電力コスト画面Ｐ２、及び、消費電力コスト予測画面Ｐ３，Ｐ５を端末装置７０に表示する際に、端末装置７０の表示部７２の大きさの大小（例えば、タブレット型や、スマートフォン型等）に応じて、表示するグラフの時間幅を変更するようにしてもよい。
【００７７】
更に、消費電力量画面Ｐ１、消費電力コスト画面Ｐ２、及び、消費電力コスト予測画面Ｐ３，Ｐ５では、１日分の消費電力量（消費電力コスト）を表示しているが、この他にも、１週間、１ヵ月間、又は、１年間等、ユーザが任意に切り替えられる様にしてもよい。その際、天気予報やユーザの在不在（例えば、ユーザのスケジュール情報から取得）の情報も併せて表示するようにしてもよい。
【００７８】
上記の実施形態では、ホームシステム１を一例として説明したが、例えば、ビル等に配置されるビルシステム等にも、同様に適用可能である。
【００７９】
上記の実施形態では、電力制御装置６０が住宅Ｈ内に配置された場合について説明したが、電力制御装置６０を住宅Ｈ外に配置するようにしてもよい。例えば、図１に示すサーバ８０を電力制御装置６０として機能させてもよい。この場合も、消費された電力のコストを適切に視覚化して表示することができる。
【００８０】
また、上記実施形態では、専用の電力制御装置６０を用いる場合について説明したが、この電力制御装置６０の動作を規定する動作プログラムを既存のパーソナルコンピュータや情報端末機器等に適用することで、当該パーソナルコンピュータ等を本発明に係る電力制御装置６０して機能させることも可能である。
【００８１】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカード等のコンピュータ読み取り可能な記録媒体に格納して配布してもよいし、インターネット等の通信ネットワークを介して配布してもよい。
【００８２】
本発明は、広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００８３】
本発明は、消費された電力のコストを適切に視覚化して表示することのできる電力制御装置、コスト表示方法、及び、プログラムに採用され得る。
【符号の説明】
【００８４】
１  ホームシステム、１０  蓄電設備、２０  発電設備、３０  ブレーカ、４０  電力計測装置、４１  電力検出部、４２，７１  通信部、５０  家電機器、６０  電力制御装置、６１  宅内通信部、６２  宅外通信部、６３，７４  データ記憶部、６４，７５  制御部、６４１  電力量集計部、６４２  電力コスト算定部、６４３  電力量予測部、６４４  表示制御部、６４５  操作受付部、６４６  指令部、７０  端末装置、７２  表示部、７３  入力部、７５１  画面表示処理部、７５２  入力検出部、８０  サーバ、８１  電気料金テーブル
【図１】
2017022077.tif 000003
【図２】
2017022077.tif 000004
【図３】
2017022077.tif 000005
【図４】
2017022077.tif 000006
【図５】
2017022077.tif 000007
【図６】
2017022077.tif 000008
【図７】
2017022077.tif 000009
【図８Ａ】
2017022077.tif 000010
【図８Ｂ】
2017022077.tif 000011
【図９】
2017022077.tif 000012
【図１０】
2017022077.tif 000013
【図１１】
2017022077.tif 000014
【手続補正書】
【提出日】平成29年11月29日(2017.11.29)
【手続補正１】
【補正対象書類名】明細書
【補正対象項目名】０００８
【補正方法】変更
【補正の内容】
【０００８】
上記目的を達成するために、本発明に係る電力制御装置は、
宅内機器によって消費された商用電力及び発電電力を含む電力についての電力コストを示すグラフであり、前記電力コストの内訳を識別可能に表したグラフを、表示装置に表示させる表示制御手段と、
前記表示装置に表示させたグラフに対するユーザの操作を受け付ける操作受付手段と、を備え、
前記表示制御手段は、前記受け付けた操作に応じて前記グラフを更新する。
【手続補正２】
【補正対象書類名】特許請求の範囲
【補正対象項目名】全文
【補正方法】変更
【補正の内容】
【特許請求の範囲】
【請求項１】
宅内機器によって消費された商用電力及び発電電力を含む電力についての電力コストを示すグラフであり、前記電力コストの内訳を識別可能に表したグラフを、表示装置に表示させる表示制御手段と、
前記表示装置に表示させたグラフに対するユーザの操作を受け付ける操作受付手段と、を備え、
前記表示制御手段は、前記受け付けた操作に応じて前記グラフを更新する、
電力制御装置。
【請求項２】
前記操作受付手段が受け付けた操作に応じて見直した制御スケジュールに従って、前記宅内機器を制御する制御手段を、更に備える、
請求項１に記載の電力制御装置。
【請求項３】
前記宅内機器による消費電力量を集計する電力量集計手段と、
前記集計された消費電力量及び料金情報に基づいて、前記商用電力及び前記発電電力の電力コストを算定する電力コスト算定手段と、を更に備える、
請求項１又は２に記載の電力制御装置。
【請求項４】
前記電力コスト算定手段は、蓄電池からの放電電力の電力コストを更に算定し、
前記表示制御手段は、前記算定された前記商用電力、前記発電電力、及び、前記放電電力を含む前記電力コストの内訳を識別可能に表したグラフを、前記表示装置に表示させる、
請求項３に記載の電力制御装置。
【請求項５】
宅内機器によって消費された商用電力及び発電電力を含む電力についてのそれぞれの電力コストを識別可能に表したグラフと、発電電力を生成する発電設備が導入される前における前記電力コストを表したグラフとを、比較可能な状態で表示装置に表示させる表示制御手段、
を備える電力制御装置。
【請求項６】
宅内機器によって消費された商用電力及び発電電力を含む電力についての電力コストを示すグラフであり、電力コストの内訳を識別可能に表したグラフを、表示装置に表示させる表示制御ステップと、
前記表示装置に表示させたグラフに対するユーザの操作を受け付ける操作受付ステップと、を備え、
前記表示制御ステップでは、前記受け付けた操作に応じて前記グラフを更新する、
コスト表示方法。
【請求項７】
コンピュータを、
宅内機器によって消費された商用電力及び発電電力を含む電力についての電力コストを示すグラフであり、前記電力コストの内訳を識別可能に表したグラフを、表示装置に表示させる表示制御部、
前記表示装置に表示させたグラフに対するユーザの操作を受け付ける操作受付部、として機能させ、
前記表示制御部は、前記受け付けた操作に応じて前記グラフを更新する、
プログラム。
【国際調査報告】
2017022077.tif 000015
2017022077.tif 000016
2017022077.tif 000017
2017022077.tif 000018